(57)【要約】      （修正有）【課題】腰痛やひざ痛など、身体の一部に痛みがあるユーザーであっても、痛みや肉体的負担を感じることなく、アキレス腱、ふくらはぎ、ひざの裏側および大腿部の後ろ側など、脚の後ろ側のマッサージすべき部位を簡単に変更して、マッサージすることができるマッサージ器を提供する。【解決手段】長方形状をなした主要な表面と裏面を有する板状の基板３と、弾性材料によって形成された一対の球体７と、それぞれ、上部に球体７を受け入れて、保持可能な凹部を有する一対の台座５と、球体７を保持する一対の台座５が、基板３の主要な表面３ａ上にユーザーの両脚の間隔に相当する間隔を置いて、載置されたことを特徴とするマッサージ器１によって達成される。【選択図】図１
0003204837.tif 000002
【実用新案登録請求の範囲】
【請求項１】
主要な表面と裏面を有する板状の基板と、一対の球体と、それぞれ、上部に前記球体を受け入れて、保持可能な凹部を有する一対の台座と、前記球体を保持する前記一対の台座が、前記基板の主要な表面上にユーザーの両脚の間隔に相当する間隔を置いて、載置されたことを特徴とするマッサージ器。
【請求項２】
前記基板の主要な表面および裏面が略長方形状をなしていることを特徴とする請求項１に記載のマッサージ器。
【請求項３】
前記球体が弾性材料によって形成されていることを特徴とする請求項１または２に記載のマッサージ器。
【請求項４】
前記球体が７５ｍｍ以上、８５ｍｍ未満の直径を有していることを特徴とする請求項１ないし３のいずれか１項に記載のマッサージ器。
【請求項５】
前記球体が、硬度がＪＩＳ−Ａ規格で４０度以上かつ５０度未満である弾性材料によって形成されていることを特徴とする請求項１ないし４のいずれか１項に記載のマッサージ器。
【請求項６】
前記球体がシリコーンゴムおよびウレタンゴムからなる群より選ばれるゴムによって形成されていることを特徴とする請求項１ないし５のいずれか１項に記載のマッサージ器。
【考案の詳細な説明】
【技術分野】
【０００１】
本考案は、マッサージ器に関するもので、さらに詳細には、２つの球体を用いて、アキレス腱、ふくらはぎ、ひざの裏側および大腿部の後ろ側など、脚の後ろ側のマッサージすべき部位を簡単に変更して、マッサージをすることができるマッサージ器に関するものである。
【背景技術】
【０００２】
球体を用いて指圧をするマッサージ器は、たとえば、特開２００５−３２３９４８号公報（特許文献１）などによって知られている。
【先行技術文献】
【特許文献】
【０００３】
【特許文献１】特開２００５−３２３９４８号公報
【考案の概要】
【考案が解決しようとする課題】
【０００４】
特許文献１に記載されたマッサージ器は、球体をマッサージすべき身体の部位に位置させ、自重によって、球体を床に押し当て、球体に加えられた反力によって、マッサージすべき身体の部位を押し、マッサージするものであり、身体の異なった部位をマッサージするときは、ユーザーが球体上を転動し、球体がマッサージすべき身体の部位に達した時点で、静止し、自重によって、球体を床に押し当て、球体に加えられた反力によって、マッサージをするように構成されている。
【０００５】
そのため、マッサージすべき身体の部位を変えるたびに、ユーザーは球体上を転動することが必要で、腰痛やひざ痛など、身体の一部に痛みがあるユーザーにとっては、マッサージすべき身体の部位を変えることは肉体的負担となっていた。
【０００６】
したがって、本考案は、腰痛やひざ痛など、身体の一部に痛みがあるユーザーであっても、痛みや肉体的負担を感じることなく、アキレス腱、ふくらはぎ、ひざの裏側および大腿部の後ろ側など、脚の後ろ側のマッサージすべき部位を簡単に変更して、マッサージすることができるマッサージ器を提供することを目的とするものである。
【課題を解決するための手段】
【０００７】
本考案のかかる目的は、主要な表面と裏面を有する板状の基板と、一対の球体と、それぞれ、上部に前記球体を受け入れて、保持可能な凹部を有する一対の台座と、前記球体を保持する前記一対の台座が、前記基板の主要な表面上にユーザーの両脚の間隔に相当する間隔を置いて、載置されたことを特徴とするマッサージ器によって達成される。
【０００８】
本考案によれば、球体を保持する一対の台座を基板の主要な表面上に両脚の間隔に相当する間隔を置いて載置し、ユーザーが脚の後ろ側の特定の部位を球体上に置くことによって、ユーザーの脚の自重で、球体により、その部位がマッサージされ、マッサージをする部位を変える場合には、両脚を伸ばして、かかとを基板のユーザーの頭から最も遠い側面に係合させ、ひざを曲げることによって、基板を引き寄せ、球体をマッサージが終わった部分からより頭に近い部位に当接させて、マッサージをすることが可能になる。したがって、ユーザーは単にかかとを基板のユーザーの頭から最も遠い側面に係合させ、ひざを曲げて、基板を引き寄せるだけで、脚の後ろ側のマッサージをする部位を変えることができるから、腰痛やひざ痛など、身体の一部に痛みあるユーザーでも、脚の後ろ側のマッサージをする部位をきわめて簡易に変えて、マッサージをすることができる。
【０００９】
本考案の好ましい実施態様においては、前記基板の主要な表面および裏面が略長方形状をなしている。
【００１０】
本考案の好ましい実施態様においては、前記球体が弾性材料によって形成されている。
【００１１】
本考案のさらに好ましい実施態様によれば、球体が弾性材料によって形成されているから、弾性材料を選択することによって、ユーザーのマッサージすべき部位を球体上に置くと、球体が適度に変形し、ユーザーのマッサージすべき部位に球体から適度な反発力を加えることができ、したがって、マッサージ効果を向上させることができる。
【００１２】
本考案のさらに好ましい実施態様においては、前記球体が７５ｍｍ以上、８５ｍｍ未満の直径を有している。
【００１３】
本考案のさらに好ましい実施態様によれば、球体が７５ｍｍ以上、８５ｍｍ未満の直径を有しているから、人差し指、中指および薬指によってマッサージをするのとほぼ同じ面積の部位をマッサージすることができ、効果的である。
【００１４】
本考案のさらに好ましい実施態様においては、前記球体が、硬度がＪＩＳ−Ａ規格で４０度以上かつ５０度未満である弾性材料によって形成されている。
【００１５】
本考案のさらに好ましい実施態様によれば、球体が、硬度がＪＩＳ−Ａ規格で４０度以上かつ５０度未満である弾性材料によって形成されているから、ユーザーの自重によって球体が変形しすぎることはなく、球体の変形によって生ずる適度な反発力をマッサージされる部位に加えることができ、したがって、マッサージ効果を向上させることができる。
【００１６】
本考案のさらに好ましい実施態様においては、前記球体がシリコーンゴムおよびウレタンゴムからなる群より選ばれるゴムによって形成されている。
【００１７】
本考案のさらに好ましい実施態様によれば、球体がシリコーンゴムまたはウレタンゴムによって形成されているから、球体は適度な弾性を有するとともに、優れた耐摩耗性を有している。
【００１８】
本考案において、シリコーンゴムは安価であるので、シリコーンゴムによって、球体を形成することが好ましい。
【００１９】
本考案の別の好ましい実施態様においては、ウレタンゴムが、変性ポリオールを主剤及び調整剤として含み、硬化剤としてＭＤＩプレポリマーが混合されている。
【００２０】
本考案の別の好ましい実施態様によれば、ウレタンゴムが、変性ポリオールを主剤及び調整剤として含み、硬化剤としてＭＤＩプレポリマーが混合されているから、真空注型により、所望の物性を有する球体を安価に製造することが可能になる。
【考案の効果】
【００２１】
本考案によれば、腰痛やひざ痛など、身体の一部に痛みがあるユーザーであっても、痛みや肉体的負担を感じることなく、アキレス腱、ふくらはぎ、ひざの裏側および大腿部の後ろ側など、脚の後ろ側のマッサージすべき部位を簡単に変更して、マッサージすることができるマッサージ器を提供することが可能になる。
【図面の簡単な説明】
【００２２】
【図１】図１は、本考案の好ましい実施態様にかかるマッサージ器の略斜視図である。
【図２】図２は、本考案の好ましい実施態様にかかるマッサージ器において用いられる台座の略斜視図である。
【図３】図３は、ユーザーが両足のアキレス腱の部分が球体に当接された状態を示す略斜視図である。
【図４】図４は、ユーザーが、踵が基板のユーザーの頭から最も遠い基板の側面に係合した状態で、ひざを曲げて、基板を引き寄せつつある状態を示している。
【図５】図５は、ユーザーの両脚のふくらはぎが球体７に当接された状態を示す略斜視図である。
【図６】図６は、ユーザーの両脚のひざの裏側が球体に当接され、マッサージを受けている状態を示す略斜視図である。
【図７】図７は、ユーザーの両脚の大腿部の後ろ側が球体に当接され、マッサージを受けている状態を示す略斜視図である。
【考案を実施するための形態】
【００２３】
図１は、本考案の好ましい実施態様にかかるマッサージ器の略斜視図である。
【００２４】
本考案の好ましい実施態様にかかるマッサージ器は、脚の後ろ側の部分をマッサージすることができるように構成され、図１に示されるように、マッサージ器１は、主要な表面３ａおよび裏面（図示せず）を有し、主要な表面３ａおよび裏面が長方形状をなした基板３を備えている。
【００２５】
図１に示されるように、基板３の主要な表面３ａ上には、一対の台座５が載置され、台座５はそれぞれ、その上部に形成された凹部（図１には図示せず）内に、弾性材料によって形成された球体７が受け入れられている。ここに、一対の台座５はユーザーの両脚の幅とほぼ等しい間隔をもって、基板３の主要な表面上に載置されている。
【００２６】
図２は、本考案の好ましい実施態様にかかるマッサージ器１において用いられる台座５の略斜視図である。
【００２７】
図２に示されるように、台座５の上部には、球体７を受け入れて、保持可能な凹部９が形成されている。
【００２８】
以上のように構成された本考案の好ましい実施態様にかかるマッサージ器１を用いて、ユーザーは、以下のようにして、アキレス腱、ふくらはぎ、ひざの裏側および大腿部の後ろ側などの脚の後ろ側の部位をマッサージすることができる。
【００２９】
ユーザーは、まず、一対の台座５を、自分の両脚の間隔とほぼ等しくなるような間隔で、基板３の主要な表面上に載置する。
【００３０】
次いで、ユーザーは仰向けに横たわり、両脚の後ろ側の部分のうち、アキレス腱の部分を球体７の上部に載置する。
【００３１】
図３は、ユーザー１０の両脚１２のアキレス腱の部分１４が球体７に載置された状態を示す略斜視図である。
【００３２】
このように、ユーザー１０のアキレス腱の部分１４を球体７上に載置することによって、ユーザーの自重によって、球体７が変形し、球体７の変形に起因する反発力がユーザーのアキレス腱の部分１４に加わり、球体７によって、ユーザーのアキレス腱の部分１４がマッサージされる。
【００３３】
ここに、本実施態様においては、球体７は７５ｍｍ以上、８５ｍｍ未満の直径を有しており、人差し指、中指および薬指によってマッサージをするのとほぼ同じ面積の部位が球体７によってマッサージをすることができるように構成されている。
【００３４】
また、本実施態様においては、球体７は硬度がＪＩＳ−Ａ規格で４０度以上かつ５０度未満である弾性材料によって形成されている。したがって、ユーザーの自重によって球体７が変形しすぎることはなく、球体７の変形によって生ずる適度な反発力をマッサージすべき部位に加えることができ、したがって、マッサージ効果を向上させることができる。
【００３５】
さらに、本実施態様においては、球体７はシリコーンゴムによって形成されている。したがって、球体７は適度な弾性を有するとともに、優れた耐摩耗性を有している。
【００３６】
こうして、所定に時間にわたって、両脚１２のアキレス腱の部分１４がマッサージされ、ユーザー１０がアキレス腱の部分１４よりも頭に近い脚の後ろ側の部位、たとえば、ふくらはぎ１８、ひざの裏側２０または大腿部の後ろ側２２をマッサージしようと考えたときは、両脚が伸ばされて、踵１６が基板３のユーザー１０の頭から最も遠い基板３の側面３ｂに係合される。
【００３７】
ユーザー１０の踵１６が基板３のユーザーの頭から最も遠い基板３の側面３ｂに係合された状態で、ユーザー１０が両脚１２を曲げると、主要な表面３ａ上に、球体７を保持した一対の台座５が載置された基板３が引き寄せられる。
【００３８】
図４は、ユーザー１０が、踵１６が基板３のユーザーの頭から最も遠い基板３の側面３ｂに係合した状態で、ひざを曲げて、基板３を引き寄せつつある状態を示している。
【００３９】
こうして、両脚１２を伸ばしたときに、マッサージをしたい部位が球体７に対向する位置に達すると、ユーザー１０は両脚１２を伸ばして、マッサージをしたい部位、たとえば、ふくらはぎ１８を球体７の上側に当接させる。
【００４０】
図５は、ユーザー１０の両脚１２のふくらはぎ１８が球体７に当接され、マッサージを受けている状態を示す略斜視図である。
【００４１】
図５に示されるように、ふくらはぎ１８が球体７の上側に当接された状態で、所定の時間が経過すると、ふくらはぎ１８のマッサージが完了する。
【００４２】
このとき、ユーザー１０がふくらはぎ１８よりも頭に近い脚の後ろ側の部位、たとえば、ひざの裏側２０または大腿部の後ろ側２２などをマッサージしようと考えたときは、両脚が伸ばされて、踵１６が基板３のユーザー１０の頭から最も遠い基板３の側面３ｂに係合される。
【００４３】
そして、ユーザー１０の踵１６が基板３のユーザーの頭から最も遠い基板３の側面３ｂに係合された状態で、ユーザー１０が両脚１２を曲げると、主要な表面３ａ上に、球体７を保持した一対の台座５が載置された基板３が引き寄せられる。
【００４４】
こうして、両脚１２を伸ばしたときに、マッサージをしたい部位、たとえば、ひざの裏側２０が球体７に対向する位置に達すると、ユーザー１０は両脚１２を伸ばして、マッサージをしたい部位、たとえば、ひざの裏側２０を球体７の上側に当接させる。
【００４５】
図６は、ユーザー１０の両脚１２のひざの裏側２０が球体７に当接され、マッサージを受けている状態を示す略斜視図である。
【００４６】
図６に示されるように、ひざの裏側２０が球体７の上側に当接された状態で、所定の時間が経過すると、ひざの裏側２０のマッサージが完了する。
【００４７】
このとき、ユーザー１０がひざの裏側２０よりも頭に近い脚の後ろ側の部位、たとえば、大腿部の後ろ側２２をマッサージしようと考えたときは、両脚が伸ばされて、踵１６が基板３のユーザー１０の頭から最も遠い基板３の側面３ｂに係合される。
【００４８】
そして、ユーザー１０の踵１６が基板３のユーザーの頭から最も遠い基板３の側面３ｂに係合された状態で、ユーザー１０が両脚１２を曲げると、主要な表面３ａ上に、球体７を保持した一対の台座５が載置された基板３が引き寄せられる。
【００４９】
こうして、両脚１２を伸ばしたときに、マッサージをしたい部位、たとえば、大腿部の後ろ側２２が球体７に対向する位置に達すると、ユーザー１０は両脚１２を伸ばして、マッサージをしたい部位、たとえば、大腿部の後ろ側２２を球体７の上側に当接させる。
【００５０】
図７は、ユーザー１０の両脚１２の大腿部の後ろ側２２が球体７に当接され、マッサージを受けている状態を示す略斜視図である。
【００５１】
図７に示されるように、大腿部の後ろ側２２が球体７の上側に当接された状態で、所定の時間が経過すると、大腿部の後ろ側２２のマッサージが完了する。
【００５２】
こうして、大腿部の後ろ側２２のマッサージが完了すると、両脚１２の後ろ側の部分のマッサージがすべて完了し、ユーザーは起き上がり、マッサージ器１は、基板３と台座５と球体７に分解され、収納部に収納される。
【００５３】
本実施態様によれば、ユーザーが単に踵を基板３のユーザーの頭から最も遠い基板３の側面３ｂに係合させ、主要な表面３ａ上に、球体７を保持した一対の台座５が載置された基板３を引き寄せることによって、両脚１２の後ろ側の部分のマッサージすべき部位を変更することができ、腰痛やひざ痛など、身体の一部に痛みがあるユーザーであっても、痛みや肉体的負担を感じることなく、マッサージすべき部位を簡単に変更することが可能になる。
【００５４】
本考案は、以上の実施態様に限定されることなく、実用新案登録請求の範囲に記載された考案の範囲内で種々の変更が可能であり、それらも本考案の範囲内に包含されるものであることはいうまでもない。
【００５５】
たとえば、前記実施態様においては、マッサージ器１によって、ユーザー１０のアキレス腱の部分１４、ふくらはぎ１８、ひざの裏側２０および大腿部の後ろ側の部分２２を順次、マッサージするように構成されているが、ユーザー１０のアキレス腱の部分１４、ふくらはぎ１８、ひざの裏側２０および大腿部の後ろ側の部分２２を順次、マッサージするように構成することは必ずしも必要でなく、ユーザー１０のアキレス腱の部分１４、ふくらはぎ１８、ひざの裏側２０および大腿部の後ろ側の部分２２のうちの一部の部位のマッサージを省略することもできる。
【００５６】
また、前記実施態様においては、マッサージ器１によって、ユーザー１０のアキレス腱の部分１４、ふくらはぎ１８、ひざの裏側２０および大腿部の後ろ側の部分２２を順次、マッサージするように構成されているが、マッサージをする部分はユーザー１０のアキレス腱の部分１４、ふくらはぎ１８、ひざの裏側２０および大腿部の後ろ側の部分２２に限定されるものではなく、ユーザー１０の脚１２の後ろ側の部分であれば、任意の部位をマッサージすることができる。
【００５７】
さらに、前記実施態様においては、球体７は７５ｍｍ以上、８５ｍｍ未満の直径を有しているが、球体７が７５ｍｍ以上、８５ｍｍ未満の直径を有していることは必ずしも必要でない。
【００５８】
また、前記実施態様においては、球体７は硬度がＪＩＳ−Ａ規格で４０度以上かつ５０度未満である弾性材料によって形成されているが、球体７が硬度がＪＩＳ−Ａ規格で４０度以上かつ５０度未満である弾性材料によって形成されていることは必ずしも必要でない。
【００５９】
さらに、前記実施態様においては、球体７がシリコーンゴムによって形成されているが、球球体７をシリコーンゴムによって形成することは必ずしも必要でなく、ウレタンゴムなどの他のゴムによって球体７を形成することもできる。
【符号の説明】
【００６０】
１  マッサ−ジ器
３  基板
３ａ  基板の主要な表面
３ｂ  ユーザーから最も遠い基板の側面
５  台座
７  球体
９  台座の凹部
１０  ユーザー
１２  ユーザーの脚
１４  ユーザーのアキレス腱の部分
１６  ユーザーの踵
１８  ユーザーのふくらはぎ
２０  ユーザーのひざの裏側
２２  ユーザーの大腿部の後ろ側
【図１】
0003204837.tif 000003
【図２】
0003204837.tif 000004
【図３】
0003204837.tif 000005
【図４】
0003204837.tif 000006
【図５】
0003204837.tif 000007
【図６】
0003204837.tif 000008
【図７】
0003204837.tif 000009